(57)【要約】      （修正有）【課題】外科手技中に使用するための外科用アクセスアセンブリを提供する。【解決手段】外科手技中に使用するための外科用アクセスアセンブリ１０００であって、筺体１００６と、筺体１００６から遠位に延び、組織内に位置付けるために寸法決定されているアクセス部材１０１０であって、筺体１００６およびアクセス部材１０１０は、縦軸を規定する、アクセス部材１０１０と、筺体内に配置されている密封アセンブリ１００であって、密封アセンブリ１００は、相互に動作可能に結合されている第１の密封構成要素および第２の密封構成要素を含み、第１の密封構成要素および該第２の密封構成要素のそれぞれは、外科用物体の通過のためのそれぞれの通路を含み、第１の密封構成要素は、縦軸周り、かつ、第２の密封構成要素に対する回転運動のために適合されている、密封アセンブリ１００とを備えている。【選択図】図１
2011092704.tif 000002
【特許請求の範囲】
【請求項１】
外科手技中に使用するための外科用アクセスアセンブリであって、
筺体と、
該筺体から遠位に延び、組織内に位置付けるために寸法決定されているアクセス部材であって、該筺体および該アクセス部材は、縦軸を規定する、アクセス部材と、
該筺体内に配置されている密封アセンブリであって、該密封アセンブリは、相互に動作可能に結合されている第１の密封構成要素および第２の密封構成要素を含み、該第１の密封構成要素および該第２の密封構成要素のそれぞれは、外科用物体の通過のためのそれぞれの通路を含み、該第１の密封構成要素は、該縦軸周り、かつ、該第２の密封構成要素に対する回転運動のために適合されている、密封アセンブリと
を備えている、外科用アクセスアセンブリ。
【請求項２】
前記第１の密封構成要素は、前記第１の密封構成要素の通路と前記第２の密封構成要素の通路とが実質的に縦方向に整列している第１の位置と、該第１の密封構成要素の通路と該第２の密封構成要素の通路とが前記密封アセンブリを通る流体の連通を阻害するように放射状にオフセットされている第２の位置との間で、相対的に回転することが可能である、請求項１に記載の外科用アクセスアセンブリ。
【請求項３】
前記第１の密封構成要素は、前記第２の密封構成要素によって少なくとも部分的に受け取り可能である、請求項１に記載の外科用アクセスアセンブリ。
【請求項４】
前記密封部材のそれぞれは、スリットを含み、該スリットは、前記通路を規定する、請求項１に記載の外科用アクセスアセンブリ。
【請求項５】
前記第１の密封構成要素および前記第２の密封構成要素のそれぞれは、外側区分と、該外側区分から放射状に内側にぶら下がる内側区分とを含み、該内側区分は、前記通路を有する、請求項１に記載の外科用アクセスアセンブリ。
【請求項６】
前記第２の密封構成要素の前記外側区分は、内部境界を規定する周辺壁を含む、請求項５に記載の外科用アクセスアセンブリ。
【請求項７】
前記第１の密封構成要素は、前記第２の密封構成要素の前記周辺壁によって規定される前記内部境界内に少なくとも部分的に配置されている、請求項６に記載の外科用アクセスアセンブリ。
【請求項８】
前記第１の密封構成要素は、前記筺体の表面内の密封を形成するように構成されているＯリングを含む、請求項１に記載の外科用アクセスアセンブリ。
【請求項９】
前記第１の密封構成要素は、該第１の密封構成要素の回転運動を促進するように構成されている少なくとも１つの構造を含む、請求項１に記載の外科用アクセスアセンブリ。
【請求項１０】
前記少なくとも１つの構造は、前記第１の密封構成要素の近位表面から直角に延びる複数の支柱を含み、該支柱は、臨床医によって係合されるように寸法決定され、位置付けられている請求項９に記載の外科用アクセスアセンブリ。
【請求項１１】
前記第１の密封構成要素は、環状陥凹部および環状リブのうちの一方を含み、前記第２の密封構成要素は、該環状陥凹部および該環状リブのうちの他方を含み、該環状陥凹部は、前記第１の密封構成要素および前記第２の密封構成要素が相互に対して取り付けられている場合に、該環状リブを少なくとも部分的に収容するように寸法決定されている、請求項１に記載の外科用アクセスアセンブリ。
【請求項１２】
外科手技を実施するためのシステムであって、
下層の手術部位にアクセスするように構成されている外科用アクセスアセンブリであって、該外科用アクセスアセンブリは、該外科用アクセスアセンブリを通る縦方向の通路を規定し、第１の密封部材および第２の密封部材をそれぞれ含む第１の密封構成要素および第２の密封構成要素を有し、該第１の密封部材および該第２の密封部材のそれぞれは、外科用物体の通過のための通路を規定する、外科用アクセスアセンブリと、
該手術部位を拡張するように、流体を該手術部位に導入する手段と、
該外科用アクセスアセンブリを通して、かつ、該第１の密封構成要素の通路および該第２の密封構成要素の通路を通して外科用物体を前進させる手段と、
該外科用物体を用いて外科手技を実施する手段と、
該外科用物体を除去する手段と
を含み、
該第１の密封構成要素と該第２の密封構成要素とは、該第２の密封構成要素に対する該第１の密封構成要素の回転が、該第１の密封構成要素の通路と該第２の密封構成要素の通路とを放射状にオフセットされた関係に位置付け、それにより、該縦方向通路が実質的に閉鎖され、該手術部位から該アクセスデバイスを通る流体の通過が最小化されるように構成されている、システム。
【請求項１３】
前記第１の密封構成要素および前記第２の密封構成要素は、それぞれがスリットを含み、該スリットは、前記通路を規定し、前記第２の密封構成要素に対する前記第１の密封構成要素の前記回転は、相互に対して該スリットを放射状に変位させる、請求項１２に記載のシステム。
【請求項１４】
前記第１の密封構成要素に動作可能に連結されている手動で動作可能な部材を含み、該手動で動作可能な部材は、該第１の密封構成要素と前記第２の密封構成要素とを手動で操作すると、該第１の密封構成要素と該第２の密封構成要素との相対的な回転を引き起こすように構成されている、請求項１２に記載のシステム。
【発明の詳細な説明】
【技術分野】
【０００１】
（関連出願の参照）
本願は、米国仮特許出願第６１／２４８，５１０号（２００９年１０月５日出願）に基づく優先権および利益を主張する。該仮出願の内容全体は、参照により本明細書に援用される。
【０００２】
（技術分野）
本開示は、外科用アクセスアセンブリに関する。より具体的には、本開示は、外科用物体の周囲に密封を確立することを補助するように、相対的回転運動のために適合される密封構成要素を伴う密封アセンブリを含む、外科用アクセスアセンブリに関する。
【背景技術】
【０００３】
内視鏡、関節鏡、および腹腔鏡手技を含む低侵襲性外科手技は、外科手術が、組織内の開口部から遠く離れた臓器、組織、および血管に対して実施されることを可能にする。これらの手技は、概して、身体内に挿入される任意の器具が密封されることを必要とする。例えば、ガスおよび／または液体が、例えば、流体を注入または灌注することを利用する外科手技において切開部を通して身体に出入りしないことを確実にするように提供がなされ得る。これらの手技は、典型的に、カニューレを通して身体内に導入される外科器具を利用する。カニューレは、カニューレと関連付けられた密封を伴う。密封は、確立された手術部位の完全性を保持するための器具の周囲に実質的に流体密な密封を形成することを意図する。
【０００４】
密封は、小さい外科器具が、カニューレの中央軸に対して軸外に動いた場合に、密封を維持するためのそれらの能力によって制限される場合がある。密封は、また、外科器具が傾斜する場合に、それらの完全性を維持するための能力によっても制限される場合がある。カニューレ内の小さな直径の外科器具のこのような極端な動作範囲は、密封の完全性を失う結果となる密封に「キャットアイ」または三日月形のギャップを作製する。密封の完全性の保持の本問題は、縫合が外科器具に並んで存在する場合も増大する。さらなる問題は、小さい直径と大きい直径との両方が使用される場合の、その完全性の保持における密封の柔軟性を含む。
【発明の概要】
【課題を解決するための手段】
【０００５】
したがって、外科手技中に使用するための外科用アクセスアセンブリは、筺体と、筺体から遠位に延び、組織内に位置付けるために寸法決定されるアクセス部材と、筺体内に配置される密封アセンブリとを含む。密封アセンブリは、相互に動作可能に連結される第１および第２の密封構成要素を含む。第１および第２の密封構成要素のそれぞれは、外科用物体の通過のためのそれぞれの通路を含む。第１の密封構成要素は、縦軸周りおよび第２の密封構成要素に対する回転運動のために適合される。第１の密封構成要素は、第１および第２の密封部材の通路が実質的に縦方向に整列している第１の位置と、第１および第２の密封部材の通路が密封アセンブリを通る流体の連通を阻害するように放射状にオフセットされる第２の位置との間で、相対的回転が可能であり得る。
【０００６】
密封部材は、それぞれ、通路を規定するスリットを含み得る。第１および第２の密封構成要素のそれぞれは、外側区分と、外側区分から半径方向内側にぶら下がる内側区分とを含み得る。第２の密封構成要素の外側区分は、内部境界を規定する周辺壁を含み得る。第１の密封構成要素は、第２の密封構成要素の周辺壁によって規定される内部境界に少なくとも部分的に配置され得る。
【０００７】
第１の密封構成要素は、筺体の表面内に密封を形成するように構成されるＯリングを含み得る。第１の密封構成要素は、第１の密封構成要素の回転運動を促進するように構成される少なくとも１つの構造を含み得る。少なくとも１つの構造は、第１の密封構成要素の近位表面から直角に延びる１つ以上の支柱を含み得る。支柱は、臨床医によって係合されるように寸法決定され、位置付けされる。第１の密封構成要素は、環状陥凹部および環状リブのうちの一方を含んでもよく、第２の密封構成要素は、環状陥凹部および環状リブのうちの他方を含み得る。環状陥凹部は、第１および第２の密封構成要素が相互に対して取り付けられる場合に、環状リブを少なくとも部分的に収容するように寸法決定される。
【０００８】
外科手技を実施する方法を提供する。方法は、外科用アクセスアセンブリを用いて下層の手術部位にアクセスするステップであって、外科用アクセスアセンブリは、それを通る縦方向の通路を規定し、それぞれ、第１および第２の密封部材を含む、第１および第２の密封構成要素を有し、第１および第２の密封部材のそれぞれは、外科用物体の通過のための通路を規定する、ステップと、手術部位を拡張するように、流体を手術部位に導入するステップと、外科用アクセスアセンブリを通り、および第１および第２の密封構成要素の通路を通る外科用物体を前進させるステップと、外科用物体で外科手技を実施するステップと、外科用物体を除去するステップと、第１および第２の密封構成要素の通路を放射状にオフセットされた関係で位置付けるように、第２の密封構成要素に対して第１の密封構成要素を回転させ、それによって、手術部位からアクセスデバイスを通る流体の通過を最小限にするステップとを含む。回転のステップは、外科手技を実施するステップの前、間、または後に実施され得る。
【０００９】
例えば、本発明は以下の手段を提供する。
（項目１）
外科手技中に使用するための外科用アクセスアセンブリであって、
筺体と、
該筺体から遠位に延び、組織内に位置付けるために寸法決定されているアクセス部材であって、該筺体および該アクセス部材は、縦軸を規定する、アクセス部材と、
該筺体内に配置されている密封アセンブリであって、該密封アセンブリは、相互に動作可能に結合されている第１の密封構成要素および第２の密封構成要素を含み、該第１の密封構成要素および該第２の密封構成要素のそれぞれは、外科用物体の通過のためのそれぞれの通路を含み、該第１の密封構成要素は、該縦軸周り、かつ、該第２の密封構成要素に対する回転運動のために適合されている、密封アセンブリと
を備えている、外科用アクセスアセンブリ。
（項目２）
上記第１の密封構成要素は、上記第１の密封構成要素の通路と上記第２の密封構成要素の通路とが実質的に縦方向に整列している第１の位置と、該第１の密封構成要素の通路と該第２の密封構成要素の通路とが上記密封アセンブリを通る流体の連通を阻害するように放射状にオフセットされている第２の位置との間で、相対的に回転することが可能である、上記項目に記載の外科用アクセスアセンブリ。
（項目３）
上記第１の密封構成要素は、上記第２の密封構成要素によって少なくとも部分的に受け取り可能である、上記項目のうちのいずれかに記載の外科用アクセスアセンブリ。
（項目４）
上記密封部材のそれぞれは、スリットを含み、該スリットは、上記通路を規定する、上記項目のうちのいずれかに記載の外科用アクセスアセンブリ。
（項目５）
上記第１の密封構成要素および上記第２の密封構成要素のそれぞれは、外側区分と、該外側区分から放射状に内側にぶら下がる内側区分とを含み、該内側区分は、上記通路を有する、上記項目のうちのいずれかに記載の外科用アクセスアセンブリ。
（項目６）
上記第２の密封構成要素の上記外側区分は、内部境界を規定する周辺壁を含む、上記項目のうちのいずれかに記載の外科用アクセスアセンブリ。
（項目７）
上記第１の密封構成要素は、上記第２の密封構成要素の上記周辺壁によって規定される上記内部境界内に少なくとも部分的に配置されている、上記項目のうちのいずれかに記載の外科用アクセスアセンブリ。
（項目８）
上記第１の密封構成要素は、上記筺体の表面内の密封を形成するように構成されているＯリングを含む、上記項目のうちのいずれかに記載の外科用アクセスアセンブリ。
（項目９）
上記第１の密封構成要素は、該第１の密封構成要素の回転運動を促進するように構成されている少なくとも１つの構造を含む、上記項目のうちのいずれかに記載の外科用アクセスアセンブリ。
（項目１０）
上記少なくとも１つの構造は、上記第１の密封構成要素の近位表面から直角に延びる複数の支柱を含み、該支柱は、臨床医によって係合されるように寸法決定され、位置付けられている上記項目のうちのいずれかに記載の外科用アクセスアセンブリ。
（項目１１）
上記第１の密封構成要素は、環状陥凹部および環状リブのうちの一方を含み、上記第２の密封構成要素は、該環状陥凹部および該環状リブのうちの他方を含み、該環状陥凹部は、上記第１の密封構成要素および上記第２の密封構成要素が相互に対して取り付けられている場合に、該環状リブを少なくとも部分的に収容するように寸法決定されている、上記項目のうちのいずれかに記載の外科用アクセスアセンブリ。
（項目１２）
外科手技を実施するためのシステムであって、
下層の手術部位にアクセスするように構成されている外科用アクセスアセンブリであって、該外科用アクセスアセンブリは、該外科用アクセスアセンブリを通る縦方向の通路を規定し、第１の密封部材および第２の密封部材をそれぞれ含む第１の密封構成要素および第２の密封構成要素を有し、該第１の密封部材および該第２の密封部材のそれぞれは、外科用物体の通過のための通路を規定する、外科用アクセスアセンブリと、
該手術部位を拡張するように、流体を該手術部位に導入する手段と、
該外科用アクセスアセンブリを通して、かつ、該第１の密封構成要素の通路および該第２の密封構成要素の通路を通して外科用物体を前進させる手段と、
該外科用物体を用いて外科手技を実施する手段と、
該外科用物体を除去する手段と
を含み、
該第１の密封構成要素と該第２の密封構成要素とは、該第２の密封構成要素に対する該第１の密封構成要素の回転が、該第１の密封構成要素の通路と該第２の密封構成要素の通路とを放射状にオフセットされた関係に位置付け、それにより、該縦方向通路が実質的に閉鎖され、該手術部位から該アクセスデバイスを通る流体の通過が最小化されるように構成されている、システム。
（項目１３）
上記第１の密封構成要素および上記第２の密封構成要素は、それぞれがスリットを含み、該スリットは、上記通路を規定し、上記第２の密封構成要素に対する上記第１の密封構成要素の上記回転は、相互に対して該スリットを放射状に変位させる、上記項目のうちのいずれかに記載のシステム。
（項目１４）
上記第１の密封構成要素に動作可能に連結されている手動で動作可能な部材を含み、該手動で動作可能な部材は、該第１の密封構成要素と上記第２の密封構成要素とを手動で操作すると、該第１の密封構成要素と該第２の密封構成要素との相対的な回転を引き起こすように構成されている、上記項目のうちのいずれかに記載のシステム。
（項目１５）
外科手技を実施する方法であって、
外科用アクセスアセンブリを用いて下層の手術部位にアクセスするステップであって、該外科用アクセスアセンブリは、該外科用アクセスアセンブリを通る縦方向の通路を規定し、第１の密封部材および第２の密封部材をそれぞれ含む、第１の密封構成要素および第２の密封構成要素を有し、該第１の密封部材および該第２の密封部材のそれぞれは、外科用物体の通過のための通路を規定する、ステップと、
該手術部位を拡張するように、流体を該手術部位に導入するステップと、
該外科用アクセスアセンブリを通して、かつ、該第１の密封構成要素の通路および該第２の密封構成要素の通路を通して、外科用物体を前進させるステップと、
該外科用物体を用いて外科手技を実施するステップと、
該外科用物体を除去するステップと、
該第１の密封構成要素の通路と該第２の密封構成要素の通路とを放射状にオフセットされた関係で位置付けるように、該第２の密封構成要素に対して該第１の密封構成要素を回転させ、それによって、該縦方向通路を実質的に閉鎖し、該手術部位から該アクセスデバイスを通る流体の通過を最小限にする、ステップと
を含む、方法。
（項目１６）
上記外科用物体を除去するステップは、上記第１の密封構成要素を回転させるステップの前に実施される、上記項目のうちのいずれかに記載の方法。
（項目１７）
上記第１の密封構成要素および上記第２の密封構成要素は、それぞれがスリットを含み、該スリットは、上記通路を規定し、上記回転させるステップは、相互に対して該スリットを放射状に変位させる、上記項目のうちのいずれかに記載の方法。
（項目１８）
上記第１の密封構成要素に動作可能に連結される手動で動作可能な部材を含み、上記第１の密封構成要素を回転させるステップは、該第１の密封構成要素と上記第２の密封構成要素との相対的な回転を引き起こすように、該手動で動作可能な部材を操作することを含む、上記項目のうちのいずれかに記載の方法。
（項目１９）
上記第１の密封構成要素の通路と上記第２の密封構成要素の通路とを実質的に整列させて、該通路を通る上記外科用物体の通過を促進するように、上記第２の密封構成要素に対して上記第１の密封構成要素を位置付けるステップを含み、該位置付けるステップは、上記外科用物体を前進させるステップの前に実施される、上記項目のうちのいずれかに記載の方法。
（項目２０）
上記回転させるステップは、上記外科手技を実施するステップの前、または、間、または、後に実施される、上記項目のうちのいずれかに記載の方法。
【００１０】
（摘要）
外科手技中に使用するための外科用アクセスアセンブリは、筺体と、筺体から遠位に延び、組織内に位置付けるために寸法決定されるアクセス部材と、筺体内に配置される密封アセンブリとを含む。密封アセンブリは、相互に動作可能に結合される第１および第２の密封構成要素を含む。第１および第２の密封構成要素のそれぞれは、外科用物体の通過のためのそれぞれの通路を規定するそれぞれの密封部材を含む。第１の密封構成要素は、縦軸周りおよび第２の密封構成要素に対する回転運動のために適合される。第１の密封構成要素は、第１および第２の密封構成要素の通路が実質的に縦方向に整列している第１の位置と、第１および第２の密封部材の通路が密封アセンブリを通る流体の連通を阻害するように放射状にオフセットされる第２の位置との間で、相対的回転が可能であり得る。
【図面の簡単な説明】
【００１１】
図を参照しながら本開示の様々な実施形態を本明細書で説明する。
【図１】図１は、本開示の実施形態に従う、外科用アクセスアセンブリの斜視図である。
【図２】図２は、図１に図示するアクセスアセンブリの第１および第２の密封構成要素の組み立て斜視図である。
【図３】図３は、本開示の別の実施形態に従う、密封アセンブリの第１および第２の密封構成要素の組み立て斜視図である。
【図４】図４は、アクセスアセンブリの筺体内のアセンブリ状態における図３の第１および第２の密封構成要素を図示する側断面図である。
【図５】図５は、外科手技の経過中に図１の外科用アクセスアセンブリを使用する方法を説明するフローチャートである。
【発明を実施するための形態】
【００１２】
同様の参照番号が類似するまたは同一の要素を識別する以下の図中および説明において、「近位」という用語は、使用中、実施者に一番近い、開示される外科用アクセスアセンブリ、またはその任意の構成要素の端を指すことを理解し、一方、「遠位」という用語は、使用中、実施者から一番遠い端を指すことを理解されたい。加えて、「外科用物体」という用語は、これに限定されないが、閉塞子、外科用ステープルデバイス等を含む、外科手技の経過中に利用され得る任意の外科用物体または器具を含むことを理解し、「フィラメント」という用語は、これに限定されないが、縫合糸、結紮糸および外科用テープを含む、組織を連結することを意図する目的に適した任意の細長部材を指すことを理解し、「組織」という用語は、これに限定されないが、皮膚、筋膜、靱帯、腱、筋肉および骨を含む、任意の身体組織を指すことを理解されたい。
【００１３】
図１を参照すると、本開示の実施形態に従う、密封アセンブリ１００とともに使用するように構成された外科用アクセスアセンブリ１０００が示される。外科用アクセスアセンブリ１０００は、それぞれ、近位端および遠位端１００２および１００４を含む。適切なプロポーションの筺体１００６は、近位端１００２に位置する。より具体的には、筺体１００６が、１つ以上の外科用縫合糸またはフィラメント「Ｆ」および／または外科用物体もしくは物体「Ｉ」を受け取るように構成され、寸法決定される。そのため、筺体１００６は、適切なプロポーションの開口部１００８を含む。筺体１００６は、密封アセンブリ１００を収容するようにも構成され、寸法決定される。アクセス部材１０１０が、筺体１００６から遠位に延び、例えば、患者の膝または肩等の患者の組織「Ｔ」に形成される経皮アクセスポイント「Ｐ」によって位置付けられるように寸法決定される。アクセス部材１０１０は、アクセス部材１０１０を通って、縦軸「Ａ」に沿って縦方向に延びる通路１０１２（想像線で示す）を規定する。通路１０１２は、実質的に開口部１００８と整列する。通路１０１２は、１つ以上の外科用フィラメント「Ｆ」、および／または外科用物体もしくは物体「Ｉ」を内部に受け取るように構成され、寸法決定される。アクセス部材１０１０は、外科用フィラメント「Ｆ」および外科用物体「Ｉ」がそれを通過できるように遠位端１００４の開口部１０１４を規定する。
【００１４】
図２を参照し、密封アセンブリ１００を説明する。密封アセンブリ１００は、二重層の回転式密封を提供する様式で組み立てられる、少なくとも２つの密封構成要素１０２、１０４を含む。密封構成要素１０２、１０４は、任意の適切な生体適合性で、少なくとも半弾力性材料から形成され、これに限定されないが、成型、鋳造および放電加工（ＥＤＭ）を含む、任意の適切な製造方法を通して形成され得る。適切な材料の例は、これに限定されないが、天然ゴム、合成ポリイソプレン、ブチルゴム、ハロゲン化ブチルゴム、ポリブタジエン、スチレンブタジエンゴム、ニトリルゴム、水素化ニトリルゴム、クロロプレンゴム、エチレンプロピレンゴム、エチレンプロピレンジエンゴム、エピクロロヒドリンゴム、ポリアクリルゴム、シリコンゴム、フルオロシリコンゴム、フルオロエラストマー、パーフルオロエラストマー、ポリエーテルブロックアミド、クロロスルホン化ポリエチレン、エチレン酢酸ビニル、熱可塑性エラストマー、熱可塑性加硫剤、熱可塑性ポリウレタン、熱可塑性オレフィン、レシリン、エラスチン、およびポリスルフィドゴム等のエラストマー材料を含む。そのような材料からの密封構成要素１０２、１０４の形成は、密封構成要素１０２、１０４が外科用フィラメント「Ｆ」、ならびに大きさにおいて変動し得る外科用物体「Ｉ」の挿入、操作、および除去を弾力的に調節可能にする。
【００１５】
密封構成要素１０２は、密封構成要素１０２が密封構成要素１０４に確実にかつ移動可能に連結することを可能にする外径「ＯＤ１」を有する一般的な円形構造を含む。本目的を念頭に、密封構成要素１０２および１０４、またはそれに関連する構成要素は、比較的滑らかな材料（例えば、ＰＴＦＥ）で被覆され、または作製され得る。密封構成要素１０２は、外側区分、または一般的に周囲側壁１３２によって接続される、それぞれの近位表面および遠位表面１０８および１１６を含む。側壁１３２は、近位表面および遠位表面１０８、１１６のいずれかから略縦方向に延びても、延びなくてもよい。図１および２に図示する実施形態において、Ｏリング１０６は、密封構成要素１０２の近位表面１０８に沿って動作可能に配置される。Ｏリング１０６が、アクセスデバイス１０００の近位端１００２において内部表面１００５（図示せず）に対する密封を提供するように意図される（図４参照）。Ｏリング１０６は、密封構成要素１０２と一体に形成され得る。代替的に、Ｏリング１０６は、近位表面１０８に沿って配置される溝またはチャネル（図示せず）内に設置されるように構成され得る。密封構成要素１０２は、密封構成要素１０２を通って延びる通路１１２を有する内側区分１１０を含む。通路１１２は、物体または器具がそれに挿入されるとき、密封アセンブリ１００を通る、例えば、生理食塩水または注入ガス等の流体の連通を実質的に制限する意図される目的のために構成される、単一スリットバルブ、多重スリットバルブ、またはアパーチャ等を含むが、これに限定されない１つ以上のスリット１１４を含み得る。図２に図示する実施形態において、多重スリットバルブ構成を示す。密封部材１１０の通路１１２は、密封構成要素１０２を通って延び、通常、外科用フィラメント「Ｆ」および／または外科用物体「Ｉ」の不在において、実質的に流体密な密封を提供するように閉鎖状態に付勢される（図２を参照、例えば、スリットが実質的に閉鎖される）。密封部材１１０は、外科用フィラメント「Ｆ」および／または外科用物体「Ｉ」がそれを通して挿入される場合に、密封アセンブリ１００を通る流体の流出を最小限にする補助をするようにも構成される。密封部材１０２の遠位表面１１６は、密封構成要素１０４上に近位に位置する、例えば、円形溝、陥凹部、またはチャネル１２０（以下により詳細に説明する）等の１つ以上の対応する構造を係合するように構成される、例えば、環状リブ１１８の形態での突起（図４に最も良く示される）等の、１つ以上の構造１１８を含む。密封構成要素１０２のリブ１１８は、密封構成要素１０２が、密封構成要素１０４に対して回転可能に移動可能であるように、密封構成要素１０４の陥凹部１２０を係合する。リブ１１８および／または陥凹部１２０は、非常に滑らかな材料（例えば、ＰＴＦＥ）で被覆される、または作製され得る。密封アセンブリ１００の密封構成要素１０２は、構造が実質的に円形として図示されるが、密封構成要素１０２が任意の適切な幾何学構成をとり得ることは、本開示の範囲内である。
【００１６】
図２を引き続き参照し、密封構成要素１０４を示す。密封構成要素１０４は、任意の適切な既知の連結および／または接続方法（例えば、プレス嵌めまたは摩擦嵌め、接着等）によって筺体１００６の内部表面に動作可能に連結され得る。一実施形態において、密封構成要素１０４は、縦軸「Ａ」の周りの回転運動を防止する様式で筺体１００６に固定される。密封構成要素１０４は、密封構成要素１０２を解放可能に係合するように構成される。そのため、密封構成要素１０４は、それぞれ、内径および外径「ＩＤ」および「ＩＤ２」を規定する、それぞれ、内部および外部外周縁側壁１２２、１２４を伴う環状外周区分または壁１２１を含む。密封構成要素１０４の内径「ＩＤ」は、密封構成要素１０２を解放可能かつ移動可能に係合するように寸法決定され、構成されるため、密封構成要素１０２は、密封構成要素１０４に対して回転可能である。そのため、密封構成要素１０４の内径「ＩＤ」は、密封構成要素１０２のＯＤ１より大きい。内部側壁１２２は、密封構成要素１０２の一部を受け取るように構成される空洞１４０を規定する内部表面１２６から直角に延びる。上述のように、密封構成要素１０４は、溝、陥凹部、または陥凹部１２０を含む。陥凹部１２０は、表面１２６の周辺にそって延びる。図２に図示する実施形態において、陥凹部１２０は、一般的に円形構造を含み、円形リブ１１８を解放可能に係合するように構成される。密封構成要素１０４の内部密封区分１２８は、１つ以上のスリット１３４によって規定される通路を有する。
【００１７】
図１および２において、密封構成要素１０２、１０４のそれぞれの通路１１２、１３０は、実質的に縦方向に整列され、例えば、第１および第２の密封構成要素１０２、１０４のスリット１１４、１３４の脚が整列される。代替的に、内部密封区分１２８および１１０は、相互から放射状にオフセットされてもよく、それによって、スリット１１４、１３４は、本明細書で、以下により詳細に説明する通り、放射状に変位される。密封構成要素１０４、１０２の密封部材１２８、１１０は、実質的に同様の様式で構成され、よって、密封部材１２８は、以下で、さらに詳細を説明しない。
【００１８】
上述の通り、密封アセンブリ１００は、密封構成要素１０２が、密封構成要素１０４と動作可能に係合されるとき、密封構成要素１０４に対して回転可能に移動可能である密封構成要素１０２を含む。そのため、図３および４に図示する実施形態において、密封構成要素１０２は、密封構成要素１０２、１０４が相互に係合するとき、密封部材１０２の移動を促進するように構成される１つ以上の触角構造１３６（例えば、支柱、係止、リブ、スリット、スロット等）を含み得る。図３および４に図示する実施形態において、触角構造１３６は、密封構成要素１０２の近位表面１０８に沿って所定の位置に動作可能に配置される１つ以上の支柱１３８（３つの支柱を図に示す）を含む。支柱１３８は、密封構成要素１０２の近位表面１０８から一般的に直角方向に延びる。代表的な図に示す通り、支柱１３８は、相互から約１２０°離れて配置される。支柱１３８は、筺体１００６の近位端１００２の対応する環状開口部１００３（図１）を通って延び得る。支柱１３８は、それぞれ、臨床医によって手動で係合されるのに十分な距離を延び得る（図４）。
【００１９】
図５を参照すると、密封アセンブリ１００を含む外科用アクセスアセンブリ１０００の使用方法は、関節鏡手技の経過中の使用の観点から説明される。最初に、生理食塩水等の流体が、手術部位に導入される（ステップ２０２）。次に、アクセス部材１０１０が患者の組織「Ｔ」に形成される経皮アクセスポイント「Ｐ」内に位置付けられ（例えば、ステップ２０４および図１）、外科用物体「Ｉ」および／または外科用フィラメント「Ｆ」が、筺体１００６およびアクセス部材１０１０を通る通路によって手術部位に導入される（例えば、ステップ２０６および図１）。外科用物体「Ｉ」および／もしくは外科用フィラメント「Ｆ」の挿入前、または手技の経過中の任意のポイントのいずれかで、実施者は、密封構成要素１０２を移動および／または回転（例えば、時計周りの方向）させてもよい（ステップ２０８を参照）。上述の通り、密封構成要素１０２は、図２に示される密封部材１１０、１２８のそれぞれの通路１１２、１３０が実質的に放射状に整列された第１の位置から、図３に示される密封部材１１０、１２８のそれぞれの通路１１２、１３０が相互から放射状にオフセットされた第２の位置に回転可能である。密封構成要素１０４に対する密封構成要素１０２の回転は、流体の流出をさらに最小限にするように、外科用アクセスアセンブリ１０００（図１）を通して近位に連通する任意の流体の経路を遮断し、実質的に閉鎖する。例えば、第２の密封構成要素に対する第１の密封構成要素の回転は、流体の流出を最小限にするように、密封構成要素１０２、１０４を通る蛇行経路を作製し得る。次いで、実施者は、残りの手技を実施するために、外科用アクセスアセンブリ１０００を通して外科用物体「Ｉ」および／または外科用フィラメント「Ｆ」を操作できる（ステップ２１０）。筺体１００６および支柱１３８は、密封構成要素１０２、１０４が回転されるとき、通路が実質的に整列される共通の視覚表示または印を有し得ることが想定される。表示は、任意の形態を取ってもよい。一実施形態において、表示は、それぞれ、筺体１００６の近位表面上、および支柱１３８のうちの１つに矢印「ｋ」、「ｍ」の形態で存在する（例えば、図１および３を参照）。他の変形も想定される。
【００２０】
前述および様々な図の参照から、当該分野の当事者は、特定の修正が本開示の範囲から逸脱することなく本開示になされ得ることを理解する。例えば、密封アセンブリ１００は、本明細書でアクセスデバイス１０００の筺体１００６にしっかり固定されるように説明されているが、筺体１００６および／またはアクセスデバイス１０００の近位端に着脱可能に取り付け可能に密封アセンブリ１００を提供することも、本開示の範囲内である。本実施形態において、密封アセンブリは、アクセスデバイス１０００に動作可能に連結され得る（例えば、密封構成要素１０４は、筺体１００６の内部にしっかり連結または係合するように寸法決定される外径ＯＤ２を含む）。したがって、外科医は、例えば、外科手技中の任意の場合に、アクセスデバイス１０００から密封アセンブリ１００を除去でき、同様に、所望する場合、アクセスデバイス１０００に密封アセンブリ１００を取り付けできる。加えて、密封アセンブリ１００は、例えば、異なる構造の従来のカニューレに取り付けるために容易に適合され得る。アクセスデバイス１０００または他の従来のカニューレからの密封アセンブリ１００の着脱性は、アクセスデバイス１０００を通して検体除去を促進するために意図される。
【００２１】
密封アセンブリ１００は、第１と第２の位置との間の密封アセンブリ１００の一部の再位置付けを促進するように触角部材（図示せず）を含み得ることを想定されたい。触角部材は、密封構成要素１０２、１０４のいずれかに連結されてもよく、外科用アクセスアセンブリ１０００の筺体１００６と関連する開口部を通ってから外方向にぶら下がるように構成され得、それにより、実施者は、密封構成要素１０２、１０４の相対位置を手動で操作できる。
【００２２】
密封アセンブリ１００の実施形態において、密封構成要素１０２、１０４間の相対移動は、これに限定されないが、モータおよびギアセット等の機械化アセンブリの搭載を含む、任意の適切な様式で実行され得ることを想定される。そのため、密封構成要素１０２、１０４のいずれかまたは双方は、第１の位置と第２の位置との間の密封構成要素１０２、１０４の相対移動を補助するように、ベアリングまたは任意の他の適切な構造を含み得る。密封構成要素１０２、１０４は、図２の整列位置方向、または図３の非整列位置方向に回転可能に（スプリングまたは他の適切な付勢機構で）付勢され得ることがさらに想定される。
【００２３】
アクセスアセンブリは、例えば、患者の腹腔で実施される腹腔鏡外科手技と併用して使用され得る。そのような手技に従い、腹腔がガス注入され、アクセスは、例えば、アクセスアセンブリ内に位置付けされ、腹腔の裏層を穿通するように前進する閉塞子による等の当該分野に既知の様式で、アクセスアセンブリで確立され得る。その後、閉塞子は、腹腔身体空洞内にアクセスアセンブリ１０００を残して除去され得る。器具は、アクセスアセンブリ内に導入されてもよく、密封構成要素１０２、１０４は、外科用器具の周囲に密封を確立するように操作され得る。
【００２４】
本開示のいくつかの実施形態は、図示および／または本明細書で説明されたが、本開示は、それに制限されるものではなく、本開示は、当該分野が許容する範囲と同様に広い範囲を有し、仕様も同様に解釈されることを意図する。したがって、上述の説明は、制限するものと解釈されるものではなく、むしろ、単に特定の実施形態の例示である。当該分野の当事者は、本明細書に添付される特許請求の範囲および精神内の他の修正を想定するであろう。
【図１】
2011092704.tif 000003
【図２】
2011092704.tif 000004
【図３】
2011092704.tif 000005
【図４】
2011092704.tif 000006
【図５】
2011092704.tif 000007
【外国語明細書】
2011092704000001.pdf